(57)【特許請求の範囲】
【請求項１】
上下２段の炎孔を有するコンロ用バーナであって、内外３重の筒体で構成されるバーナボディと、内周にバーナボディの中間の筒体に嵌合する筒部が垂設され、バーナボディの外側の筒体との間に下段炎孔を画成する環状の下バーナキャップと、内周にバーナボディの内側の筒体に嵌合する筒部が垂設され、下バーナキャップとの間に上段炎孔を画成する環状の上バーナキャップとを備えるものにおいて、
下バーナキャップと上バーナキャップとを分離しないように連結する連結手段を備え、この連結手段は、下バーナキャップに対し上バーナキャップが上下方向に所定ストローク動くことを許容するように構成されていることを特徴とするコンロ用バーナ。
【請求項２】
前記連結手段は、前記下バーナキャップと前記上バーナキャップとを径方向の遊びを持って連結するように構成されていることを特徴とする請求項１記載のコンロ用バーナ。
【発明の詳細な説明】
【技術分野】
【０００１】
本発明は、上下２段の炎孔を有するコンロ用バーナに関する。
【背景技術】
【０００２】
従来、この種のコンロ用バーナとして、内外３重の筒体で構成されるバーナボディと、内周にバーナボディの中間の筒体に嵌合する筒部が垂設され、バーナボディの外側の筒体との間に下段炎孔を画成する環状の下バーナキャップと、内周にバーナボディの内側の筒体に嵌合する筒部が垂設され、下バーナキャップとの間に上段炎孔を画成する環状の上バーナキャップとを備えるものは知られている（例えば、特許文献１参照）。
【０００３】
ところで、一般的なコンロ用バーナに設けられているバーナキャップは１個であり、上記従来例のような上下２個のバーナキャップを備えるコンロ用バーナは特殊である。そのため、ユーザがバーナ掃除後に上下一方のバーナキャップを設置し忘れる虞がある。この場合、上下のバーナキャップを一体化し、バーナキャップに孔を明けて、この孔で上段炎孔を形成することが考えられる。然し、これでは、煮こぼれで上段炎孔が目詰まりした場合、掃除がし難くなる。
【特許文献１】特許第３５８６９７４号公報
【発明の開示】
【発明が解決しようとする課題】
【０００４】
本発明は、以上の点に鑑み、上下一方のバーナキャップを設置し忘れることを確実に防止できるようにすると共に、掃除もし易くしたコンロ用バーナを提供することをその課題としている。
【課題を解決するための手段】
【０００５】
上記課題を解決するために、本発明は、上下２段の炎孔を有するコンロ用バーナであって、内外３重の筒体で構成されるバーナボディと、内周にバーナボディの中間の筒体に嵌合する筒部が垂設され、バーナボディの外側の筒体との間に下段炎孔を画成する環状の下バーナキャップと、内周にバーナボディの内側の筒体に嵌合する筒部が垂設され、下バーナキャップとの間に上段炎孔を画成する環状の上バーナキャップとを備えるものにおいて、下バーナキャップと上バーナキャップとを分離しないように連結する連結手段を備え、この連結手段は、下バーナキャップに対し上バーナキャップが上下方向に所定ストローク動くことを許容するように構成されていることを特徴とする。
【０００６】
本発明によれば、下バーナキャップと上バーナキャップとが連結手段により連結されるため、上下２個のバーナキャップが単一の部品として取り扱われることになる。従って、上下一方のバーナキャップを設置し忘れることを確実に防止できる。更に、本発明では、下バーナキャップに対し上バーナキャップが上下方向に所定ストローク動き得るため、上バーナキャップを下バーナキャップの上方に引き離して両者間にブラシ等の掃除用具を挿入可能な隙間を確保できる。従って、下バーナキャップと上バーナキャップとの間に画成される上段炎孔が煮こぼれで目詰まりしても、上段炎孔を掃除用具を用いて容易に掃除でき、メンテナンス性も良好になる。
【０００７】
また、本発明において、連結手段は、下バーナキャップと上バーナキャップとを径方向の遊びを持って連結するように構成されていることが望ましい。これによれば、バーナボディの中間の筒体と内側の筒体とが芯ずれしていても、下バーナキャップの内周の筒部と上バーナキャップの内周の筒部とを夫々バーナボディの中間の筒体と内側の筒体とに嵌合させることができる。
【発明を実施するための最良の形態】
【０００８】
図１を参照して、１はコンロ本体、２はコンロ本体１の上面を覆う天板、３はコンロ用バーナを示している。天板２にはバーナ用開口２ａが開設されている。また、天板２上には、バーナ用開口２ａを囲うようにして図示省略した五徳が載置される。そして、五徳に載置する調理容器がバーナ３で加熱される。
【０００９】
バーナ３はバーナ用開口２ａに挿通されるバーナボディ４を備えている。バーナボディ４は、外側の筒体４ａと中間の筒体４ｂと内側の筒体４ｃとの内外３重の筒体で構成されている。また、バーナ３は、内周にバーナボディ４の中間の筒体４ｂに嵌合する筒部５ａを垂設した環状の下バーナキャップ５と、内周にバーナボディ４の内側の筒体４ｃに嵌合する筒部６ａを垂設した環状の上バーナキャップ６とを備えている。
【００１０】
図２を参照して、下バーナキャップ５の下面外周部には周方向の間隔を存して多数の歯形が突設されており、バーナボディ４の外側の筒体４ａと下バーナキャップ５との間にこれら歯形間の隙間で下段炎孔７Ｌが画成される。また、下バーナキャップ５の上面外周部にも周方向の間隔を存して多数の歯形が突設されており、下バーナキャップ５と上バーナキャップ６との間にこれら歯形間の隙間で上段炎孔７Ｕが画成される。ここで、五徳の複数の五徳爪に合致する周方向複数箇所には、五徳爪に火炎が触れて不完全燃焼することを防止するため、上段炎孔７Ｕが設けられていない。従って、下段炎孔７Ｌの個数は上段炎孔７Ｕの個数より若干多くなる。但し、各下段炎孔７Ｌの面積は各上段炎孔７Ｕの面積より遥かに小さく、そのため、下段炎孔７Ｌの総面積は上段炎孔７Ｕの総面積より小さくなる。
【００１１】
バーナ３は、更に、バーナボディ４の中間筒体４ｂと内側筒体４ｃとの間の空間に連通する上段炎孔７Ｕ用の第１混合管８Ｕと、バーナボディ４の外側筒体４ａと中間筒体４ｂとの間の空間に連通する下段炎孔７Ｌ用の第２混合管８Ｌとを備えている。そして、第１と第２の各混合管８Ｕ，８Ｌの上流端に臨ませて配置した第１と第２の各ノズル９Ｕ，９Ｌから噴出される燃料ガスと一次空気とが各混合管８Ｕ，８Ｌ内で混合され、各混合管８Ｕ，８Ｌからの混合気が対応する各炎孔７Ｕ，７Ｌに供給されるようにしている。これによれば、上段炎孔７Ｕと下段炎孔７Ｌとの両者で燃焼させる強火状態から下段炎孔７Ｌのみで燃焼させるとろ火状態まで火力を広範囲に可変することができる。
【００１２】
尚、バーナボディ４の外側筒体４ａには、その上端部外周から下方にのびるスカート部４ｄが設けられている。そして、スカート部４ｄに、天板２のバーナ用開口２ａを覆うカバーリング１０を外挿し、バーナ用開口２ａからの煮こぼれ汁の侵入をカバーリング１０により防止できるようにしている。
【００１３】
バーナ３には、下段炎孔７Ｌへの点火を行う点火プラグ１１と、点火プラグ１１の配置位置とは周方向反対側の位置で下段炎孔７Ｌの火炎を検知する熱電対から成る火炎検知素子１２とが付設されている。また、下バーナキャプ５には、点火プラグ１１に対向するターゲット部５ｂが設けられている。バーナ３には、更に、バーナボディ４で囲われるバーナ内周空間に位置させて、調理容器の温度を検出する鍋底温度センサ１３が付設されている。
【００１４】
ところで、本実施形態のバーナ３は、１個のバーナキャップしか備えない一般的なコンロ用バーナと異なり上下２個のバーナキャップ５，６を備えるため、バーナ３の掃除後に上下２個のバーナキャップ５，６の一方を設置し忘れる虞がある。そして、一方のバーナキャップを設置し忘れると、燃焼不良や生ガスの放出や逆火等を生ずる。そこで、本実施形態では、下バーナキャップ５と上バーナキャップ６とを分離しないように連結する連結手段１４を備えている。
【００１５】
図１、図３を参照して、連結手段１４は、上バーナキャップ６の下面の周方向３箇所に垂設した爪片１４１と、下バーナキャップ５の上面の周方向３箇所に設けられる突部５ｃに形成した、各爪片１４１が挿入される溝１４２と、３個の爪片１４１により下方に脱落しないように保持されるリング状のばね部材１４３と、溝１４２の周方向両側の溝壁に形成した、ばね部材１４３を受け入れる凹欠部１４４とで構成されている。ばね部材１４３は周方向一箇所が切り欠かれている。また、爪片１４１の内縁は上方に向けて径方向内方に傾斜している。そして、下バーナキャップ５と上バーナキャップ６とを組合せる際、ばね部材１４３が突部５ｃに支えられた状態で爪片１４１の内縁に押されて一旦縮経し、凹欠部１４４に弾性復元力で拡径して入り込むようにしている。
【００１６】
以上の構成によれば、上バーナキャップ６を持ち上げたとき、ばね部材１４３が凹欠部１４４の上縁に係合するため、上バーナキャップ６は下バーナキャップ５から分離しない。従って、上下２個のバーナキャップ５，６が単一の部品として取り扱われることになり、２個のバーナキャップ５，６の一方を設置し忘れることが確実に防止される。
【００１７】
また、下バーナキャップ５の上に上バーナキャップ６を載せた状態では、ばね部材１４３と凹欠部１４４の上縁との間に上下方向の隙間を生ずる。従って、上バーナキャップ６は下バーナキャップ５に対し上下方向にこの隙間分のストローク動き得る。これによれば、図４に示す如く、上バーナキャップ６を下バーナキャップ５の上方に引き離して、両者５，６間にブラシ等の掃除用具を挿入可能な隙間を確保できる。そのため、下バーナキャップ５と上バーナキャップ６との間に画成される上段炎孔７Ｕが煮こぼれで目詰まりしても、上段炎孔７Ｕを掃除用具を用いて容易に掃除できる。
【００１８】
尚、バーナボディ４の製造公差により、バーナボディ４の中間筒体４ｂと内側筒体４ｃとが多少芯ずれすることがある。ここで、下バーナキャップ５に対し上バーナキャップ６が径方向に不動であると、中間筒体４ｂと内側筒体４ｃとが芯ずれした場合、下バーナキャップ５の筒部５ａを中間筒体４ｂに嵌合できても、上バーナキャップ６の筒部６ａは内側筒体４ｃに嵌合できなくなる。
【００１９】
そこで、本実施形態では、溝１４２の径方向外側の壁面と爪片１４１との間に隙間を確保し、下バーナキャップ５と上バーナキャップ６とがこの隙間分の遊びを持って連結されるようにしている。これによれば、中間筒体４ｂと内側筒体４ｃとが芯ずれしていても、下バーナキャップ５の筒部５ａと上バーナキャップ６の筒部６ａとを夫々バーナボディ４の中間筒体４ｂと内側筒体４ｃとに支障なく嵌合させることができる。
【００２０】
図５は、連結手段１４の変形例を示している。このもので連結手段１４は、上バーナキャップ６の下面に形成した凹孔６ｂに圧入固定されるピン１４５と、下バーナキャップ５の筒部５ａの上端から内方にピン１４５を挟むようにして突出するフォーク状の係合部１４６とで構成されている。
【００２１】
このものでは、上バーナキャップ６を持ち上げたとき、ピン１４５の下端の大径部１４５ａが係合部１４６に係合する。そのため、上バーナキャップ６は下バーナキャップ５から分離しない。また、下バーナキャップ５の上に上バーナキャップ６を載せた状態では、ピン１４５の大径部１４５ａが係合部１４６より所定距離下方に位置する。そのため、上バーナキャップ６は下バーナキャップ５に対し上下方向にこの距離分のストローク動き得る。更に、ピン１４５と下バーナキャップ５の筒部５ａの内周面との間に隙間が確保されている。そのため、下バーナキャップ５と上バーナキャップ６とがこの隙間分の遊びを持って連結される。その結果、このものでも上記実施形態と同様の作用効果が得られる。
【００２２】
以上、本発明の実施形態について図面を参照して説明したが、本発明はこれに限定されない。例えば、上記実施形態では、上段炎孔７Ｕと下段炎孔７Ｌとに各別の混合管８Ｕ，８Ｌから混合気を供給しているが、共通１個の混合管から上段炎孔７Ｕと下段炎孔７Ｌとに混合気を供給することも可能である。また、上記実施形態では、下バーナキャップ５の上面に多数の歯形を突設して上段炎孔７Ｕを画成したが、上バーナキャップ６の下面に多数の歯形を突設して上段炎孔７Ｕを画成しても良い。
【図面の簡単な説明】
【００２３】
【図１】本発明の実施形態のバーナの断面図。
【図２】実施形態のバーナの斜視図。
【図３】実施形態のバーナの下バーナキャップの平面図。
【図４】実施形態のバーナの上バーナキャプを下バーナキャップから引き離した状態を示す要部の断面図。
【図５】連結手段の変形例を示す要部の断面図。
【符号の説明】
【００２４】
３…コンロ用バーナ、４…バーナボディ、４ａ…外側の筒体、４ｂ…中間の筒体、４ｃ…内側の筒体、５…下バーナキャップ、５ａ…筒部、６…上バーナキャプ、６ａ…筒部、７Ｕ…上段炎孔、７Ｌ…下段炎孔、１４…連結手段。
【図１】
0004411467.tif 000002
【図２】
0004411467.tif 000003
【図３】
0004411467.tif 000004
【図４】
0004411467.tif 000005
【図５】
0004411467.tif 000006